(57)【要約】【課題】  楔を蓋固定手段として用いることでコンクリート蓋を確実に固定させ、併せてその楔を間隙形成手段としても機能させることで側溝ブロックとコンクリート蓋との間に間隙を形成させ、この間隙を利用した流水系を形成させることで路面上の雨水を側溝本体の溝空間内に流入させ、かつコンクリート蓋と側溝本体との接触による破損を防止できる側溝構造の提供。【解決手段】  側溝本体１の左右の蓋受け段部２、２間に架設状態に装着されるコンクリート蓋５を備え、蓋受け内壁面２１とコンクリート蓋の蓋側面５０との間に蓋固定手段としての楔３が打ち込まれると共に、この楔を間隙形成手段として間隙４ａが形成されると共に、蓋受け底面２０とコンクリート蓋の蓋裏面５１との間に流水間隙４ｂが形成され、この流水間隙を介して溝空間１０と間隙とが連通した雨水流入系４が形成されている。【選択図】  図５
2012219491.tif 000002
【特許請求の範囲】
【請求項１】
溝空間（１０）を保持して対向する左右側壁（１ａ）、（１ｂ）の上部内面に蓋受け内壁面（２１）と蓋受け底面（２０）からなる蓋受け段部（２）が形成されたコンクリート製の側溝本体（１）と、前記左右の蓋受け段部（２）、（２）間に架設状態に装着されるコンクリート蓋（５）とを備えている側溝構造において、
前記蓋受け内壁面（２１）と、この蓋受け内壁面（２１）に対向したコンクリート蓋（５）の蓋側面（５０）との間に蓋固定手段としての楔（３）が打ち込まれると共に、この楔（３）を間隙形成手段として前記蓋受け内壁面（２１）と蓋側面（５０）との間に間隙（４ａ）が形成され、
かつ前記蓋受け底面（２０）と、この蓋受け底面（２０）に対向したコンクリート蓋（５）の蓋裏面（５１）との間に流水間隙（４ｂ）が形成され、
この流水間隙（４ｂ）を介して前記溝空間（１０）と間隙（４ａ）とが連通した雨水流入系（４）が形成されていることを特徴とする側溝構造。
【請求項２】
前記楔（３）の打ち込み位置において、蓋受け内壁面（２１）に壁側楔保持溝（３０）が形成されると共に、蓋側面（５０）に蓋側楔保持溝（３１）が形成され、この壁側楔保持溝（３０）と蓋側楔保持溝（３１）内に楔（３）が打ち込まれていることを特徴とする請求項１記載の側溝構造。
【発明の詳細な説明】
【技術分野】
【０００１】
本発明は、コンクート製の側溝本体と、この側溝本体に装着させるコンクリート蓋を備えた側溝構造であり、特に、コンクリート蓋を側溝本体に一体的に固定させるための固定技術と、コンクリート蓋と側溝本体との間隙を利用した雨水排水技術との組み合わせ技術に関する。
【背景技術】
【０００２】
側溝構造として、溝空間を保持して対向する左右側壁の上部内面に蓋受け段部が形成されたコンクリート製の側溝本体と、前記左右の蓋受け段部間に架設状態に装着されるコンクリート蓋とを備えたものが一般的に知られている。
【０００３】
前記コンクリート蓋は装着状態でのズレ動きを防止することが必要となるが、確実な蓋固定手段として、例えば固定ボルト等が用いられている。
尚、側溝本体とコンクリート蓋との間に楔（クサビ）を打ち込むことでコンクリート蓋を固定させる従来技術は見受けられないが、楔は本来固定手段として使用するものであるから、これをコンクリート蓋の蓋固定手段として用いることは通常のことと言える。
【０００４】
又、従来、路面上の雨水を側溝内に排水させるために、側溝本体とコンクリート蓋との間に流水路を形成させ、この流水路を通して溝空間内に流入させるようにした側溝構造が知られている（特許文献１参照）。
【０００５】
しかしながら、この従来の側溝構造は、流水路を通して雨水を溝空間内に流入させる技術であるが、流水路を形成させるために楔を用いることを主旨とする本発明とは異なるし、その楔を用いてコンクリート蓋を固定させる技術でもない。
【先行技術文献】
【特許文献】
【０００６】
【特許文献１】特開平９−２４２１６１号公報
【発明の概要】
【発明が解決しようとする課題】
【０００７】
本発明は、楔を蓋固定手段として用いることでコンクリート蓋を確実に固定させ、併せてその楔を間隙形成手段としても機能させることで側溝本体とコンクリート蓋との間に間隙を形成させ、この間隙を利用した流水系を形成させることで路面上の雨水を側溝本体の溝空間内に流入させ、かつコンクリート蓋と側溝本体との接触による破損を防止できるようにした側溝構造を提供することを課題としている。
【課題を解決するための手段】
【０００８】
上記の課題を解決するために本発明の側溝構造は、以下の構成を採用した。
即ち、請求項１記載の側溝構造は、
溝空間（１０）を保持して対向する左右側壁（１ａ）、（１ｂ）の上部内面に蓋受け内壁面（２１）と蓋受け底面（２０）からなる蓋受け段部（２）が形成されたコンクリート製の側溝本体（１）と、前記左右の蓋受け段部（２）、（２）間に架設状態に装着されるコンクリート蓋（５）とを備えている側溝構造において、
前記蓋受け内壁面（２１）と、この蓋受け内壁面（２１）に対向したコンクリート蓋（５）の蓋側面（５０）との間に蓋固定手段としての楔（３）が打ち込まれると共に、この楔（３）を間隙形成手段として前記蓋受け内壁面（２１）と蓋側面（５０）との間に間隙（４ａ）が形成され、
かつ前記蓋受け底面（２０）と、この蓋受け底面（２０）に対向したコンクリート蓋（５）の蓋裏面（５１）との間に流水間隙（４ｂ）が形成され、
この流水間隙（４ｂ）を介して前記溝空間（１０）と間隙（４ａ）とが連通した雨水流入系（４）が形成されている構成とした。
【０００９】
また、請求項２記載の側溝構造は、
前記楔（３）の打ち込み位置において、蓋受け内壁面（２１）に壁側楔保持溝（３０）が形成されると共に、蓋側面（５０）に蓋側楔保持溝（３１）が形成され、この壁側楔保持溝（３０）と蓋側楔保持溝（３１）内に楔（３）が打ち込まれている構成とした。
【発明の効果】
【００１０】
本発明（請求項１）の側溝構造は、楔（３）にコンクリート蓋（５）の蓋固定手段と、雨水流入系（４）の間隙（４ａ）を形成させるための間隙形成手段との２通りの機能を持たせている構成に特徴がある。
【００１１】
すなわち、側溝本体（１）の蓋受け内壁面（２１）と、コンクリート蓋（５）の蓋側面（５０）との間に楔（３）を打ち込むため、コンクリート蓋（５）を簡単な作業で確実に固定させることができる。
特に、コンクリート蓋（５）を側溝本体（１）に一体化させる必要がある場合に、楔（３）によって確実に固定し一体化させることができる。
【００１２】
又、この楔（３）によって側溝本体（１）の蓋受け内壁面（２１）と、コンクリート蓋（５）の蓋側面（５０）との間に間隙（４ａ）を形成させることができる。
そして、側溝本体（１）の蓋受け底面（２０）と、コンクリート蓋（５）の蓋裏面（５１）との間に流水間隙（４ｂ）を形成させ、この流水間隙（４ｂ）を介して溝空間（１０）と間隙（４ａ）とを連通させた雨水流入系（４）を形成させている。
従って、間隙（４ａ）から流水間隙（４ｂ）を経て溝空間（１０）に至るという雨水流入系（４）により雨水を側溝内に排水することができる。
【００１３】
又、前記したように、楔（３）によって側溝本体（１）の蓋受け内壁面（２１）と、コンクリート蓋（５）の蓋側面（５０）との間に間隙（４ａ）を形成させることができるため、コンクリート蓋（５）の蓋側面（５０）と側溝本体（１）の蓋受け内壁面（２１）とが直接に接触することがなく、両面（５０）、（２１）の破損を防止できる。
【００１４】
又、楔（３）の打ち込み位置に形成した壁側楔保持溝（３０）と蓋側楔保持溝（３１）内に楔（３）を打ち込むことにより（請求項２）、コンクリート蓋（５）の側溝長手方向への移動を規制することができ、楔（３）による側溝幅方向への固定と相まってコンクリート蓋（５）をより確実に固定することができる。
【図面の簡単な説明】
【００１５】
【図１】本発明の実施例１に係る側溝構造を示す斜視図。
【図２】その側溝構造を示す側面断面図で、図３のＡ−Ａ断面図．
【図３】その側溝構造を示す平面図。
【図４】その側溝構造を示す正面断面図。
【図５】要部の拡大断面図。
【図６】本発明の実施例２に係る側溝構造を示す側面断面図。
【発明を実施するための形態】
【実施例１】
【００１６】
図１〜図５に示す実施例１の側溝構造は、コンクリート製の側溝本体１と、コンクリート蓋５とを備え、前記側溝本体１は、溝空間１０を保持して対向するコンクリート製の左右側壁１ａ、１ｂと、この左右側壁１ａ、１ｂの上部を連結する非コンクリート製の上部連結部材１１を備えた自由勾配側溝本体に形成されている。
【００１７】
前記上部連結部材１１は小さな断面積で十分な連結強度を得ることができるようにするために非コンクリート製としたもので、実施例では角形鋼管によって形成されている。
尚、上部連結部材１１としては角形鋼管に限らず、アングル型鋼材、チャンネル型鋼材、丸形鋼管、そのほか必要な強度が得られる材料であれば、鋼材やスチール材やステンレス材等の金属以外にプラスチック材等を使用できるし、その本数についても実施例１では３本としているが、１本又は複数本（例えば２本）でもよい。
【００１８】
実施例１では、上記のように左右側壁１ａ、１ｂを上部連結部材１１で連結しただけの側溝本体１を形成しているが、上部連結部材１１に加えて底部に梯子状枠による底部連結部材（図示省略）を取り付けた側溝本体を形成することもできる。
尚、図中９０はコンクリートベースで、この上に側溝本体１が設置され、この側溝本体１の底部に側溝の底面を形成する底版９１（インバート）が打設される。
【００１９】
前記左右側壁１ａ、１ｂの内面上部には内向きの膨出部１２が形成され、この膨出部１２の上が蓋受け段部２に形成され、この左右の蓋受け段部２、２間にコンクリート蓋５が架設状態に装着されている。
この蓋受け段部２は、膨出部１２の上面に形成された蓋受け底面２０と、この膨出部１２より上方に延長した上部側壁１３の内面に形成された蓋受け内側面２１とで形成されている。
【００２０】
従って、コンクリート蓋５の架設状態で、コンクリート蓋５の蓋側面５０が前記蓋受け段部２の蓋受け内壁面２１に対向し、コンクリート蓋５の蓋裏面５１の左右端部が前記蓋受け段部２の蓋受け底面２０に対向する。
【００２１】
本実施例では、側溝本体１の左右側壁のうち、道路側側壁１ｂ（図２、図５では右側）の上部側壁１３の上端面１３ｂが民地側側壁１ａ（図２、図５では左側）の上部側壁１３の上端面１３ａよりも低く形成されている。
そして、コンクリート蓋５の高さが民地側の上部側壁１３の上端面１３ａとほぼ一致して形成され、これによりコンクリート蓋５の道路側の蓋側面５０は中程から上方が上部側壁１３の上端面１３ｂよりも上方に露出した状態になっている。
【００２２】
そして、前記コンクリート蓋５の装着状態を固定させるために、側溝本体１とコンクリート蓋５との間に蓋固定手段としての楔３が打ち込まれている。
この場合、民地側では、楔３の打ち込み位置（実施例では１箇所）において、蓋受け内壁面２１に壁側楔保持溝３０が形成されると共に、蓋側面５０に蓋側楔保持溝３１が形成され、この壁側楔保持溝３０と蓋側楔保持溝３１内に楔３が打ち込まれている。
【００２３】
この壁側楔保持溝３０と蓋側楔保持溝３１とにより、コンクリート蓋５の側溝長手方向（矢印Ａ方向）への移動を規制することができ、楔３の本来の固定方向である側溝幅方向（矢印Ｂ方向）への固定と相まってコンクリート蓋５をより確実に固定することができる。
【００２４】
又、道路側では、楔３の打ち込み位置（実施例では２箇所）において、蓋受け内壁面２１と蓋側面５０との間に直接に楔３が打ち込まれている。
【００２５】
前記楔３は、片面又は両面が勾配面に形成され、その材質は錆びの発生がないプラスチックが好ましいし、勾配面にすべり止め加工を施してもよい。
又、いずれかの片面又は両面にボンド等の接着剤を塗布した上で打ち込むようにしてもよく、この場合、蓋側面５０（蓋側楔保持溝３１）に接触する勾配面にのみ接着剤を塗布しておけば、コンクリート蓋５の着脱に際し接着剤が支障になることがない。
尚、楔３に接着剤を塗布する場合、その塗布面を凹凸面に形成させると、それだけ接着面積を増加できるため接着力を増大できる。
【００２６】
実施例では、民地側を１個の楔３で固定し、道路を２個の楔３によって固定し、又、民地側の楔３を壁側楔保持溝３０と蓋側楔保持溝３１内に打ち込むようにしたが、楔３の個数、それに壁側楔保持溝３０や蓋側楔保持溝３１の有無、個数等も適宜に決めることができる。
【００２７】
前記楔３はコンクリート蓋５の蓋固定手段となるものであるが、この楔３を蓋受け内壁面２１と蓋側面５０の間に打ち込むことで蓋受け内壁面２１と蓋側面５０の間にスリット状の間隙４ａを形成させることができるもので、このことから楔３を間隙形成手段として機能させることができる。
尚、道路側の間隙４ａは、道路側の上部側壁１３の内面に凹部１４を形成することで間隙４ａのスリット幅を拡大させている。
【００２８】
そして、前記蓋受け段部２の蓋受け底面２０と、この蓋受け底面２０に対向したコンクリート蓋５の蓋裏面５１との間に流水間隙４ｂが形成されており、この実施例の流水間隙４ｂは、蓋裏面５１に蓋側面５０から蓋受け底面２０を越えるように延長して溝状に形成されている。
このような流水間隙４ｂを形成することによって、この流水間隙４ｂを介して前記溝空間１０と間隙４ａとを連通させた雨水流入系４を形成させることができる。
【００２９】
又、間隙４ａによってコンクリート蓋５の蓋側面５０と側溝本体１の蓋受け内壁面２１とが直接に接触することがなくなるため、両面５０、２１が接触することによる破損を防止できる。
【００３０】
本実施例の側溝構造は、非透水性下地層８１の上に排水性路面表層８２を形成させた排水性舗装路８の路肩部に設置され、その排水性路面表層８２を前記道路側の上部側壁１３の上端面１３ｂを超えてコンクリート蓋５の蓋側面５０まで延長するように形成している。
【００３１】
従って、排水性舗装路８の路面上の雨水は排水性路面表層８２内を側溝方向に流動していき、さらに間隙４ａから流水間隙４ｂを経て溝空間１０に至るという雨水流入系４により側溝内に排水される。
同様に、コンクリート蓋５上の雨水は民地側の間隙４ａから流水間隙４ｂを経て溝空間１０に至るという雨水流入系４により側溝内に排水される。
【００３２】
尚、コンクリート蓋５に水落ち孔や手掛け孔を形成して、ここから雨水を側溝内に排水させることができるのは勿論であるし、コンクリート蓋５の形状についても実施例の平蓋に限定されず、例えば、断面縁石状の境界型蓋や上面片側に縁石部を一体に形成したＬ字状蓋を使用できる。
【００３３】
本実施例の側溝構造では、側溝本体１の側溝長手方向両端部は、等辺山形型材（アングル型鋼材）６０をスリット状の通水間隙６１を保持して左右の蓋受け底面２０間に架設し、その上で前記排水性路面表層８２に一体に連続するように等辺山形型材６０の上に排水性蓋表層８３を形成させた透水蓋構造としている。
【００３４】
特に、このような透水蓋構造では、コンクリート蓋５のズレ動きを確実に防止させるためコンクリート蓋５を側溝本体１に一体化させるように固定させることが要求されるが、上記したように楔３を打ち込むという簡単な手間で確実にコンクリート蓋５を側溝本体１に固定させ一体化させることができる。
【００３５】
前記排水性舗装路８では、その路面上の雨水は排水性路面表層８２内を側溝方向に流動していき、さらに排水性蓋表層８３から通水間隙６１を経て溝空間１０に至るという経路で側溝内に排水される。
【００３６】
尚、実施例では、側溝本体１の側溝長手方向両端部に等辺山形型材６０を用いた透水蓋構造を形成したが、これに限定されるものではなく、この側溝長手方向両端部にコンクリート蓋を装着させてもよい。
【００３７】
コンクリート蓋５の側溝長手方向両端部の裏面には、前記上部連結部材１１の上に被さる状態に装着されるため、上部連結部材１１との干渉を避けるために切欠部５５が形成されている。
【実施例２】
【００３８】
次に、図６で示す実施例２は、Ｕ字側溝本体による側溝本体１の左右の蓋受け段部２に、コンクリート蓋５を架設状態に装着させた例である。
この場合、コンクリート蓋５の両側にそれぞれ１個または複数個の楔３を打ち込むようにさせ、かつ各楔３の打ち込み位置において、壁側楔保持溝３０と蓋側楔保持溝３１内に楔３を打ち込むようにしている。
【００３９】
又、雨水流入系４を形成する流水間隙４ｂは、蓋受け段部２の蓋受け底面２０に溝状に形成され、この流水間隙４ｂを介して前記溝空間１０と間隙４ａとが連通した雨水流入系４が形成されている。
尚、その他の構成は前記実施例１と同様であり、図面の符号を同じにしている。
【００４０】
本発明では、側溝本体として自由勾配側溝本体やＵ字側溝本体等、コンクリート蓋を蓋受け部に架設状態に装着させるものについては全ての側溝に適用できる。
実施例１では非コンクリート製の上部連結部材１１（必要に応じて底部連結部材）によって左右側壁１ａ、１ｂを連結した自由勾配側溝本体を例にとったが、例えば、左右側壁の両端部をコンクリート梁によって一体に連結した通常の自由勾配側溝本体に本発明を適用できるのは勿論である。
【００４１】
又、雨水流入系４を形成する流水間隙４ｂについて、例えば、蓋受け底面２０と蓋裏面５１との間に、波状の板材など、流水間隙４ｂを形成させるための間隔保持用スペーサ部材等を介在させてもよい。
【符号の説明】
【００４２】
１  側溝本体
１ａ  側壁
１ｂ  側壁
１０  溝空間
２  蓋受け段部
２０  蓋受け底面
２１  蓋受け内壁面
３  楔
３０  壁側楔保持溝
３１  蓋側楔保持溝
４  雨水流入系
４ａ  間隙
４ｂ  流水間隙
５  コンクリート蓋
５０  蓋側面
５１  蓋裏面
【図１】
2012219491.tif 000003
【図２】
2012219491.tif 000004
【図３】
2012219491.tif 000005
【図４】
2012219491.tif 000006
【図５】
2012219491.tif 000007
【図６】
2012219491.tif 000008